(57)【要約】【課題】散乱Ｘ線除去用のグリッドが用いられるＸ線撮影装置について、グリッドの取り扱いに関する術者の負担を大幅に軽減できるようにする。【解決手段】Ｘ線照射部１、２次元Ｘ線センサ７、および２次元Ｘ線センサの前面に設置される散乱Ｘ線除去用のグリッド８を備えたＸ線撮影装置において、２次元Ｘ線センサの前面に現在設置のグリッドの種別を検出するための第１のグリッド種別検出手段９、複数種類のグリッドを個別に収納可能とされるとともに、この個別収納の各グリッドの種別を検出するための第２のグリッド種別検出手段１１が設けられたグリッド収納部６、Ｘ線照射部と２次元Ｘ線センサの間の現在設定距離に基づいて、設置すべきグリッドを判定するとともに、この判定に基づいて現在設置のグリッドの適否を判定し、不適であった場合にはグリッド交換の必要性と交換対象のグリッドを報知するグリッド選択制御部１０を設けるようにしている。【選択図】図１
2006101963.tif 000002
【特許請求の範囲】
【請求項１】
被検者にＸ線を照射するＸ線照射部と、このＸ線照射部に対して対向配置された２次元Ｘ線センサと、この２次元Ｘ線センサの前面に設置される散乱Ｘ線除去用のグリッドを備え、前記グリッドは、仕様が異なる複数種類が用意されており、前記Ｘ線照射部と前記２次元Ｘ線センサの間の設定距離に応じて交換されるようになっているＸ線撮影装置において、
前記２次元Ｘ線センサの前面に現在設置の前記グリッドの種別を検出するための第１のグリッド種別検出手段と、前記複数種類のグリッドを個別に収納可能とされるとともに、この個別収納の各グリッドの種別を検出するための第２のグリッド種別検出手段が設けられたグリッド収納部と、前記Ｘ線照射部と前記２次元Ｘ線センサの間の現在設定距離に基づいて、前記２次元Ｘ線センサの前面に設置すべき前記グリッドを判定するとともに、この判定に基づいて前記２次元Ｘ線センサの前面に現在設置の前記グリッドの適否を判定し、不適であった場合にはグリッド交換の必要性と交換対象の前記グリッドを報知するグリッド選択制御部を備えたことを特徴とするＸ線撮影装置。
【請求項２】
請求項１に記載のＸ線撮影装置において、前記グリッド種別検出手段は、前記グリッドに取り付けられたＩＣタグ、または前記グリッドに付されたバーコード、または前記グリッドに形成された切り欠き、または前記グリッドに形成された貫通孔のいずれかから前記グリッドの種別検出のための情報を得るように形成されているＸ線撮影装置。
【請求項３】
請求項１または請求項２に記載のＸ線撮影装置において、
前記グリッド交換の必要性と交換対象の前記グリッドを報知は、表示灯の点灯、または音声、または警告音のいずれかあるいはこれらの組合せでなすようにされているＸ線撮影装置。
【請求項４】
請求項１〜請求項３のいずれか１項に記載のＸ線撮影装置において、
前記グリッド収納部は、前記２次元Ｘ線センサのＸ線入射面の反対側に設けられているＸ線撮影装置。
【発明の詳細な説明】
【技術分野】
【０００１】
本発明は、Ｘ線撮影装置に関し、特に２次元Ｘ線センサにより撮影をなすようにされ、その２次元Ｘ線センサの前面に散乱Ｘ線除去用のグリッドが設置されるＸ線撮影装置に関する。
【背景技術】
【０００２】
半導体技術の進歩により、大型の２次元Ｘ線センサ（以下では適宜にＦＰＤと略記する）の製造が可能となった。これを受けて、Ｘ線撮影装置では、従来のＸ線フィルムに代えて、ＦＰＤでＸ線撮影を行う構成が多用されるようになってきている。このようなＦＰＤによりＸ線撮影を行うＸ線撮影装置（以下適宜にＦＰＤ型Ｘ線撮影装置と称す）では、散乱Ｘ線がＦＰＤに入射して画像の鮮明度を低下させるのを防ぐためにＦＰＤの前面に散乱Ｘ線除去用のグリッドを設置するのが一般的である（例えば特許文献１）。
【０００３】
【特許文献１】特開２００２−４５３５６号公報
【発明の開示】
【発明が解決しようとする課題】
【０００４】
ＦＰＤ型Ｘ線撮影装置により、被検者の胸部、腹部、下肢など各部位のＸ線撮影による診断を効率よく行うことが可能となってきている。ただ、Ｘ線撮影装置では、Ｘ線源と受像面となるＦＰＤの間の距離（以下では適宜にＳＩＤと略記する）を撮影部位や被検者の体格あるいは大人と子供などの違いに応じ変更して撮影することが求められる。従ってグリッドの仕様はＳＩＤに応じて異なり、ＳＩＤに応じた仕様のグリッドを複数個用意しておき、ＦＰＤの前面にセットするグリッドを、ＳＩＤを変えるごとに交換する必要がある。例えばＳＩＤは、胸部撮影で１８００ｍｍ、腹部撮影で１５００ｍｍ、下肢撮影では１２００ｍｍ程度に設定される。それ故に単一のＸ線撮影装置で、異なる部位の撮影に対応しようとする場合にはそのＳＩＤの区別に応じて多種類のグリッドが使い分けられる。
【０００５】
従来のＦＰＤ型Ｘ線撮影装置では、例えばＸ線撮影装置の近辺に設けてある棚などに複数種類のグリッドが置かれており、グリッドの交換などの際にはそこからグリッドを取り出し、またそこに戻すといった操作を行っていた。
【０００６】
以上のようなグリッドの扱いはＸ線撮影を煩雑なものにし、Ｘ線撮影を行う術者にとって大きな負担となっている問題があった。
【０００７】
本発明は、以上のような事情を背景になされたものであり、グリッドの取り扱いに関する術者の負担を大幅に軽減できるようにしたＸ線撮影装置の提供を目的としている。
【課題を解決するための手段】
【０００８】
上記目的のために本発明では、被検者にＸ線を照射するＸ線照射部と、このＸ線照射部に対して対向配置された２次元Ｘ線センサと、この２次元Ｘ線センサの前面に設置される散乱Ｘ線除去用のグリッドを備え、前記グリッドは、仕様が異なる複数種類が用意されており、前記Ｘ線照射部と前記２次元Ｘ線センサの間の設定距離に応じて交換されるようになっているＸ線撮影装置において、前記２次元Ｘ線センサの前面に現在設置の前記グリッドの種別を検出するための第１のグリッド種別検出手段と、前記複数種類のグリッドを個別に収納可能とされるとともに、この個別収納の各グリッドの種別を検出するための第２のグリッド種別検出手段が設けられたグリッド収納部と、前記Ｘ線照射部と前記２次元Ｘ線センサの間の現在設定距離に基づいて、前記２次元Ｘ線センサの前面に設置すべき前記グリッドを判定するとともに、この判定に基づいて前記２次元Ｘ線センサの前面に現在設置の前記グリッドの適否を判定し、不適であった場合にはグリッド交換の必要性と交換対象の前記グリッドを報知するグリッド選択制御部を備えたことを特徴としている。
【０００９】
また本発明では、上記のようなＸ線撮影装置において、前記グリッド種別検出手段は、前記グリッドに取り付けられたＩＣタグ、または前記グリッドに付されたバーコード、または前記グリッドに形成された切り欠き、または前記グリッドに形成された貫通孔のいずれかから前記グリッドの種別検出のための情報を得るように形成するものとしている。
【００１０】
また本発明では、上記のようなＸ線撮影装置において、前記グリッド交換の必要性と交換対象のグリッドの報知は、表示灯の点灯、または音声、または警告音のいずれかあるいはこれらの組合せでなすものとしている。
【００１１】
また本発明では、上記のようなＸ線撮影装置において、前記グリッド収納部は、前記２次元Ｘ線センサと一体化させて設けるようにしている。
【発明の効果】
【００１２】
本発明では、グリッド選択制御部を設け、Ｘ線照射部と２次元Ｘ線センサの間の現在設定距離に基づいて、２次元Ｘ線センサの前面に設置すべきグリッドを判定するとともに、この判定に基づいて現在設置のグリッドの適否を判定し、不適であった場合にはグリッド交換の必要性と交換対象のグリッドを報知するようにしている。このため本発明によれば、グリッドの取り扱いに関する術者の負担を大幅に軽減することができる。
【発明を実施するための最良の形態】
【００１３】
以下、本発明を実施する上で好ましい形態について説明する。図１に一実施形態によるＸ線撮影装置の構成を模式化して示す。本実施形態におけるＸ線撮影装置は、Ｘ線管装置及び絞り装置から成るＸ線照射部１、ＦＰＤユニット２、ＦＰＤ駆動部３および走行レール４を備えている。Ｘ線照射部１は、Ｘ線管球などのＸ線源と絞り装置を制御する制御手段などを含んで構成される。ＦＰＤユニット２は、ＦＰＤ部５とグリッド収納部６からなる。ＦＰＤ部５は、ＦＰＤ７が組み込まれ、そのＦＰＤ７の前面にグリッド８をセットできるようにされ、またそのグリッド８の種別（図の例ではグリッド８ｃ）を検出するための第１のグリッド種別検出手段９が設けられている。グリッド収納部６は、複数種類（図の例では後述する３種類のＳＩＤに対応して３種類としてある）のグリッド８（８ａ、８ｂ、８ｃ）を収納できるようにされ、そのグリッド８ａ、８ｂ、８ｃの選択に関する処理を行うグリッド選択制御部１０が信号ケーブル１０ｃを介して接続されている。このグリッド収納部６については後に詳しく説明する。
【００１４】
ＦＰＤユニット２は、Ｘ線照射部１に対向するように配置されており、Ｘ線照射部１との対向距離（ＳＩＤ）を変えることができるようにされている。すなわち、Ｘ線撮影装置が設置される部屋の天井などに設けられる走行レール４に沿ってＦＰＤ駆動部３によりＦＰＤユニット２をＸ線照射部１への対向方向で移動させることにより、ＳＩＤを変えることができるようにされている。本実施形態の場合、成人用のＳＩＤとして、胸部撮影の１８００ｍｍ、腹部撮影の１５００ｍｍ、下肢撮影の１２００ｍｍの３種類を標準としている。
【００１５】
図２にＦＰＤユニット２を拡大して示し、図３にＦＰＤユニット２のグリッド収納部６についてなされるグリッド８の種別選択処理のブロック図を示す。グリッド収納部６は、３列に収納スリット６ｓが設けられおり、この３列の収納スリット６ｓに３種類のグリッド８ａ、８ｂ、８ｃを個別に収納できるようにされている。また収納スリット６ｓには、当該収納スリット６ｓに収納されているグリッド８の種別を検出するための第２のグリッド種別検出手段１１が設けられるとともに、後述のようにして当該収納スリット６ｓに収納されているグリッド８が選択された場合にそれを術者に知らせる表示灯１２が設けられている。
【００１６】
グリッド８の選択は設定されたＳＩＤに基づいてなされる。ＳＩＤの設定に関する情報はＦＰＤ駆動部３から得られる。具体的には、図３に示すように、グリッド選択制御部１０は、ＦＰＤ駆動部３からＳＩＤ情報を取得する一方で、ＦＰＤ部５のグリッド種別検出手段９から現在セットされているグリッド８ｃに関する種別情報を取得する。そして、現在設定のＳＩＤに基づいて設置すべきグリッド８がグリッド８ａ、８ｂ、８ｃの何れであるかを判定し、この判定に基づいて現在セットされているグリッド８ｃの適否を判定し、それが不適であった場合、例えば現在のＳＩＤに対してはグリッド８ａが該当しており、グリッド８ｃでは不適ということであれば、ＳＩＤ情報から定まる種別のグリッド８ａが収納されている収納スリット６ｓの表示灯１２を点灯させてグリッド交換の必要性と交換対象のグリッド８を術者に知らせる。こうしてグリッド交換要の報知がなされると、術者は表示灯１２が点灯している収納スリット６ｓからグリッド８ａを取り出し、それを現在セットされているグリッド８ｃと交換し、外したグリッド８ｃは空いている収納スリット６ｓに収納する。
【００１７】
ここで、グリッド交換要と交換対象グリッドの報知は、本実施形態のように表示灯１２の点灯で表示して行う方式の他に、例えば音声や警報音を発するなどの方式で行うようにすることも可能である。また交換対象グリッドを収納スリット６ｓから一部飛び出させるようにする方式も可能であり、さらにこれらの各種方式を適宜に組み合わせて用いるようにしてもよい。
【００１８】
以下では、グリッド８の種別検出について説明する。グリッドの種別検出には各種の方式が可能である。例えばグリッド８にＩＣタグを取り付けたりバーコードを付したりして、それらからグリッド８の種別を読み取るようにグリッド種別検出手段（グリッド種別検出手段９や１１）を構成する方式、グリッド８の側辺部に切り欠きを設け、その切り欠きをグリッド種別検出手段で検出して切り欠きの位置や数でグリッド８の種別を検出する方式、あるいはグリッド８の側辺部に貫通孔を設け、それらを透過させた光線をグリッド種別検出手段で検出して貫通孔の位置や数でグリッド８の種別を検出する方式などがその例である。
【００１９】
図４に示すのはＩＣタグを用いる場合の例であり、グリッド８ａ、８ｂ、８ｃのそれぞれにＩＣタグ１３を取り付け、このＩＣタグ１３からグリッド種別検出手段９やグリッド種別検出手段１１でグリッド８ａ、８ｂ、８ｃの種別を検出する。ここで、図４に示すように、グリッド８ａ、８ｂ、８ｃのそれぞれには取手１４が取り付けられている。そしてそれぞれの取手１４は、グリッド８ａ、８ｂ、８ｃのそれぞれで取り付け位置を異ならされている。このことはグリッド収納部６を小型化するのに有効である。グリッド８は厚さが例えば２〜３ｍｍ程度と薄いものである。したがってこれを収納するについては収納スリット６ｓの幅も数ｍｍ程度で足りる。グリッド８ａ、８ｂ、８ｃのそれぞれで取手１４の取り付け位置を異ならせてあることにより、収納スリット６ｓを上記のような狭い幅に形成しても、取手１４をつかんでグリッド８を収納スリット６ｓから引き出す際に、隣のグリッド８の取手１４による干渉を受けるのを避けることができる。すなわち取手１４の取り付け位置を異ならせることで、収納スリット６ｓの幅サイズをグリッド８の収納に必要最小限にしても支障なくグリッド８を取り出せるようになり、それだけグリッド収納部６を小型化することが可能となる。
【００２０】
図５に示すのは切り欠きを用いる場合の例である。グリッド８の側辺部に切り欠き１５を設け、この切り欠き１５の位置や数をグリッド８の種別で異ならせる。
【００２１】
図６に示すのは貫通孔を用いる場合の例である。グリッド８の側辺部に貫通孔１６を設け、この貫通孔１６の位置や数をグリッド８の種別で異ならせる。図７には、貫通孔１６により種別を検出する方式におけるグリッド種別検出手段１７の構成例を示す。グリッド種別検出手段１７は、グリッド受入れ溝１８を挟んでＬＥＤなどの発光手段１９とフォトダイオードなどの受光手段２０を対向配置した構成とされ、グリッド受入れ溝１８にグリッド８の貫通孔形成部を受入れ、発光手段１９から照射されて貫通孔１６を透過した光を受光手段２０で検知するようにされている。
【００２２】
以上のように、本発明では、現在設定のＳＩＤに基づいて、ＦＰＤ７の前面に設置すべきグリッド８の種別を判定する一方で、この判定に基づいて現在設置されているグリッド８の適否を判定し、不適であった場合にはグリッド交換の必要性と交換対象のグリッド８を報知するようにしている。このため本発明によれば、グリッドの取り扱いに関する術者の負担を大幅に軽減することができる。
【００２３】
以上の実施形態では、ＦＰＤユニット２を可動にしてＳＩＤを変えるようにしていたが、これに代えて、Ｘ線照射部１を可動にすることでＳＩＤを変える構成とすることも可能である。また以上の実施形態では、ＦＰＤ部５とグリッド収納部６を一体にしてＦＰＤユニット２を構成するようにしている。このような構成は、グリッド交換操作に関して最も手近な位置にグリッド収納部６を配置できるという点で特に好ましい。しかし、本発明を実施する上では必ずしもこのような構成に限られず、グリッド収納部をＦＰＤと別体にし、そのグリッド収納部をグリッド交換操作に支障のない位置に配置する構成であってもよい。
【産業上の利用可能性】
【００２４】
本発明は、グリッドを用いるＸ線撮影装置について、グリッドの取り扱いに関する術者の負担を大幅に軽減することを可能とする。このような本発明は、Ｘ線撮影装置の機能性の向上に寄与できるものであり、Ｘ線撮影装置の分野に広く適用することができる。
【図面の簡単な説明】
【００２５】
【図１】一実施形態によるＸ線撮影装置の構成を模式化して示す図である。
【図２】ＦＰＤユニットの構成を模式化して示す図である。
【図３】グリッド収納部におけるグリッド種別選択処理のブロック図である。
【図４】種別検出にＩＣタグを用いる場合のグリッドの例を示す図である。
【図５】種別検出に切り欠きを用いる場合のグリッドの例を示す図である。
【図６】種別検出に貫通孔を用いる場合のグリッドの例を示す図である。
【図７】種別検出に貫通孔を用いる場合のグリッド種別検出手段の構成を示す図である。
【符号の説明】
【００２６】
１    Ｘ線照射部
６    グリッド収納部
７    ２次元Ｘ線センサ
８    グリッド
９    第１のグリッド種別検出手段
１０    グリッド選択制御部
１１    第２のグリッド種別検出手段
１２    表示灯
１３    ＩＣタグ
１４    切り欠き
１５    貫通孔
【図１】
2006101963.tif 000003
【図２】
2006101963.tif 000004
【図３】
2006101963.tif 000005
【図４】
2006101963.tif 000006
【図５】
2006101963.tif 000007
【図６】
2006101963.tif 000008
【図７】
2006101963.tif 000009